(57)【要約】  【課題】本発明は、測定された装置各部の温度が、実際に画像形成装置のどの位置の温度であるのか直感的に視認することが可能となると共に、表示部の表示領域の低減が可能となる画像形成装置を提供することを目的とする。  【解決手段】本発明に係わる画像形成装置１は、装置各部の温度を測定する温度検出部１７を有して成り、複数の表示色を備えた表示部１５を有し、表示部１５は、装置各部を模式的に表示した画像形成装置１の模式図（図２参照）を表示し、温度検出部１７によって測定された装置各部の温度に応じて、その模式的に表示された装置各部の表示色を変化させて表示する構成としている。【選択図】      図２
2005234269.tif 000002
【特許請求の範囲】
【請求項１】
装置各部の温度を測定する温度検出部を有して成る画像形成装置において、複数の表示色を備えた表示部を有し、前記表示部は、装置各部を模式的に表示した前記画像形成装置の模式図を表示し、前記温度検出部によって測定された装置各部の温度に応じて、その模式的に表示された装置各部の表示色を変化させて表示することを特徴とする画像形成装置。
【請求項２】
用紙を収納する収納部と、前記収納部内の用紙を加熱乾燥させるヒータ部と、を有して成る画像形成装置において、複数の表示色を備えた表示部と、前記ヒータ部の温度を測定する温度検出部と、を有し、前記表示部は、装置各部を模式的に表示した前記画像形成装置の模式図を表示し、前記温度検出部によって測定された前記ヒータ部の温度に応じて、その模式的に表示された装置各部のうち前記収納部の表示色を変化させて表示することを特徴とする画像形成装置。
【請求項３】
前記表示部は、前記温度検出部によって測定された温度が高くなるにつれて、色相を可視光線の短波長の色から長波長の色へ変化させて表示することを特徴とする請求項１または２に記載の画像形成装置。
【発明の詳細な説明】
【技術分野】
【０００１】
本発明は、複写機、プリンタ、ファクシミリ等の画像形成装置に関するものであり、特に、その画像形成装置各部の温度を表示する表示技術に関するものである。
【背景技術】
【０００２】
従来より、画像形成装置の表示部の表示状態を、発熱源を有して温度設定が必要とされる温度設定必要部分ごとに色相を異ならせて表示すると共に、温度設定必要部分に設けられた温度検出手段によって検出された温度が、低温から高温へと変化するに伴い、同一色内で淡い色から濃い色へと色相を変化させて表示する手段を備えた画像形成装置が開示・提案されている（例えば、特許文献１を参照）。なお、温度設定必要部の例としては、定着部、画像形成部、用紙の収納部等が挙げられる。
【０００３】
また、収納部における用紙の加熱乾燥の手段を備えた画像形成装置が開示・提案されている（例えば、特許文献２を参照）。
【特許文献１】特開２００２−３１９８６号公報
【特許文献２】特開１９９４−１５６７７８号公報
【発明の開示】
【発明が解決しようとする課題】
【０００４】
確かに、上記表示部を備えた画像形成装置であれば、温度設定必要部分ごとの温度を色相の変化を通して視覚的に認識することは可能である。
【０００５】
しかしながら、従来の画像形成装置は、表示部に温度設定必要部分ごとの名称を、文字表示で指示された表示領域を設けて、各表示領域の色相を異ならせて表示する構成とされていた。
【０００６】
そのため、表示された画像形成装置の各部の温度が、実際に画像形成装置のどの位置の温度を表示しているのか、直感的に視認できないと共に、温度設定必要部分ごとの名称を、文字表示で指示された表示領域を設けて表示するため、一般的に２つ以上の用紙収納部を有している画像形成装置では、更に表示領域の面積が大きくなってしまい、表示部の大型化が懸念された。このように、従来の画像形成装置では、更なる視認性の向上と表示領域の低減の余地があった。
【０００７】
本発明は、上記の問題点に鑑み、測定された装置各部の温度が、実際に画像形成装置のどの位置の温度であるのか直感的に視認することが可能となると共に、表示部の表示領域の低減が可能となる画像形成装置を提供することを目的とする。
【課題を解決するための手段】
【０００８】
上記目的を達成するために、本発明に係わる画像形成装置は、装置各部の温度を測定する温度検出部を有して成り、複数の表示色を備えた表示部を有し、前記表示部は、装置各部を模式的に表示した前記画像形成装置の模式図を表示し、前記温度検出部によって測定された装置各部の温度に応じて、その模式的に表示された装置各部の表示色を変化させて表示するとよい。
【０００９】
また、本発明に係わる画像形成装置は、用紙を収納する収納部と、前記収納部内の用紙
を加熱乾燥させるヒータ部と、を有して成り、複数の表示色を備えた表示部と、前記ヒー
タ部の温度を測定する温度検出部と、を有し、前記表示部は、装置各部を模式的に表示し
た前記画像形成装置の模式図を表示し、前記温度検出部によって測定された前記ヒータ部
の温度に応じて、その模式的に表示された装置各部のうち前記収納部の表示色を変化させ
て表示するとよい。
【００１０】
また、上記構成からなる画像形成装置において、前記表示部は、前記温度検出部によって測定された温度が高くなるにつれて、色相を可視光線の短波長の色から長波長の色へ変化させて表示することを特徴とするとよい。
【発明の効果】
【００１１】
本発明に係わる画像形成装置であれば、測定された装置各部の温度が、実際に画像形成装置のどの位置の温度であるのか直感的に視認することが可能となると共に、表示部の表示領域の低減が可能となる。
【発明を実施するための最良の形態】
【００１２】
以下では、本発明を複写機に適用した場合を例に挙げて説明を行う。図１は本発明に係る複写機の要部構成を示すブロック図であり、図２は本発明に係る複写機の表示部に表示された複写機の模式図である。両図に示すように、本実施形態の複写機１は、装置全体の動作を制御する中央演算処理装置１０（以下、ＣＰＵ［Central Processing Unit］１０と呼ぶ）と、操作手段（テンキーやタッチパネルなど）から成る操作部１１と、原稿を自動搬送する原稿搬送部１２と、原稿搬送部１２から搬送された原稿を取り込んで画像データを生成する原稿取込部１３と、表示を制御する表示制御部１４と、表示手段（液晶ディスプレイなど）から成る表示部１５と、各種制御プログラム等が格納されたＲＯＭ［Read Only Memory］やワーク領域として用いられるＲＡＭ［Random Access Memory］から成るメモリ部１６と、装置各部の温度を測定する温度検出部１７と、用紙を収納する収納部１８と、該画像データに基づいて用紙上に画像を形成する画像形成部１９（プリンタヘッドや感光ドラムなど）と、画像形成部１９で得られた画像に熱を加えて定着させる定着部２０と、を有して成る。
【００１３】
ＣＰＵ１０は、装置全体の動作を制御するほか、後ほど詳細に説明する表示部１５への表示を制御する表示制御部１４の動作制御に関する処理を行う。
【００１４】
収納部１８は、画像形成部１９への給紙元となる複数段（本実施形態では５段）の用紙の収納部１８ａ〜１８ｅと、を有して成る。各収納部１８ａ〜１８ｅは、各収納部の用紙を加熱乾燥させるヒータ部１８１ａ〜１８１ｅを備えている。
【００１５】
なお、各収納部１８ａ〜１８ｅは、本図に示す順番（最上段の収納部１８ａから下段になるに従って、収納部１８ｂ、収納部１８ｃ、収納部１８ｄ、収納部１８ｅとなる順番）で積み重ねられており、画像形成部１９は、各収納部１８ａ〜１８ｅよりもさらに上段に配設されている。従って、収納部１８ａは、画像形成部１９から見て近い側（用紙搬送経路の下流側）に位置することになり、収納部１８ｅは、画像形成部１９から見て遠い側（用紙搬送経路の上流側）に位置することになる。
【００１６】
次に、上記構成から成る複写機１における原稿複写動作について説明する。複写機１における原稿複写動作では、まず操作部から複写開始が指示されると、原稿搬送部１２から原稿取込部１３に原稿が搬送され、原稿取込部１３による該原稿の取込み（画像データの生成）が行われる。生成された画像データは、一旦メモリ部１６に格納された後、再び読み出されて画像形成部１９に送出される。その後、定着部２０では、入力された画像データに基づく用紙への画像形成処理並びに定着処理が行われる。
【００１７】
なお、本実施形態の複写機１は、温度検出部１７によって測定された装置各部の温度表示に特徴を有している。そこで、以下では、本実施形態の複写機１における表示部１５への温度表示についての詳細な説明を行う。
【００１８】
本実施形態の複写機１では、表示制御部１４の表示制御により、表示部１５に装置各部を模式的に表示した複写機１の模式図（図２参照）が表示される。以下、収納部１８の温度表示を例として説明する。収納部１８ａ〜１８ｅ内の各ヒータ部１８１a〜１８１ｅの温度が、温度検出部１７によって測定される。測定された温度データは、ＣＰＵで処理された後、表示制御部１４に送出される。次に、表示制御部１４の表示制御により、表示部にヒータ部１８１a〜１８１ｅの測定温度に応じて、表示部１５に表示された模式図内の収納部１８ａ〜１８ｅの表示色が変化して表示される。
【００１９】
また、その表示色の色相は、図３に示すように、温度検出部１７によって測定された温度が高くなるにつれて、可視光線の短波長の色から長波長の色へ変化させて表示され、例えば、中温の表示色を橙色とした場合、低温が青色、高温が赤色と表示してもよい。
【００２０】
また、例えば、温度検出部１７によって測定された温度が高くなるにつれて、表示色の色相を、可視光線の短波長の色から長波長の色への色相の変化に合わせて、低温を示す青色から高温時を示す赤色まで、徐々に変化させて表示する表示方法でもよい。
【００２１】
また、上記表示色の表示領域は、図２の模式図における各収納部１８ａ〜１８ｅの輪郭内だけでもよく、または表示領域全体でもよい。
【００２２】
上記構成により、複写機１の適正温度が中温で、その表示色を橙色とした場合、収納部１８ａ〜１８ｅのうち少なくとも１つの表示色が、適正温度外の低温を示す青色で表示されていた場合、収納部１８ａ〜１８ｅの中から適正温度外の青色表示された収納部（図２の例では、斜線で示した１８ａ）を即座に視認して、低温状態となっていた収納部を操作部１１から任意に選択して適正温度に設定する操作を行ってもよい。
【００２３】
また、収納部１８ａ〜１８ｅのうち少なくとも１つの表示色が、適正温度外の高温を示す赤色を表示していた場合、収納部１８ａ〜１８ｅの中から適正温度外の赤色表示された収納部（図２の例では、縦線で示した１８ｅ）を即座に視認して、装置電源を停止するといった対応をとることもできる。
【００２４】
上記は、収納部１８の温度表示を例として説明したが、温度検出部１７によって測定された装置各部の温度の表示に対して適用できる。また、本実施形態の複写機１に限定されることはなく、少なくとも、複数の表示色を備えた表示部と、装置各部の温度を測定する温度検出部とを備えた画像形成装置であれば、適用することができる。
【００２５】
以上のように、表示部１５に装置各部を模式的に表示した模式図（図２参照）を表示し、測定された装置各部の温度に応じて、模式図の表示色を変化させて表示することにより、装置各部の温度状態を、文字認識なく直感的に視認することが可能となると共に、表示領域の低減が可能となる。また、適正温度外を表す色が表示された時には、ユーザーは、直ちに的確な対応をとることが可能となり、安全性が更に向上する。
【００２６】
また、装置各部の温度状態を把握することができるため、その温度状態を部品交換や保守・点検時期の管理指標の１つとしてもよい。
【産業上の利用可能性】
【００２７】
本発明は、複写機の他にも、プリンタやファクシミリなどの画像形成装置全般に広く適用が可能であり、装置各部の測定温度が、装置のどの位置の温度であるのか直感的に視認することが可能となると共に、表示部の表示領域の低減が可能となる有用な技術である。
【図面の簡単な説明】
【００２８】
【図１】は、本発明に係る複写機の要部構成を示すブロック図である。
【図２】は、本発明に係る複写機の表示部に表示された複写機の模式図である。
【図３】は、表示部に表示される表示色の温度と色相の関係を示す図である。
【符号の説明】
【００２９】
１    複写機
１０    中央演算処理装置（ＣＰＵ）
１１    操作部
１２    原稿搬送部
１３    原稿取込部
１４    表示制御部
１５    表示部
１６    メモリ部
１７    温度検出部
１８    収納部
１８ａ、１８ｂ、１８ｃ、１８ｄ、１８ｅ    各収納部
１８１ａ、１８１ｂ、１８１ｃ、１８１ｄ、１８１ｅ    ヒータ部
１９    画像形成部
２０    定着部
【図１】
2005234269.tif 000003
【図２】
2005234269.tif 000004
【図３】
2005234269.tif 000005